(57)【要約】  【課題】チャタリングを防止するために、二つの接片部材を複雑な形状にしたり、駆動部材の押圧部位を複雑な形状にする必要のないスイッチ機構を備えているカメラ用フォーカルプレンシャッタを提供すること。  【解決手段】先羽根用駆動部材９には、突起部９ｄが設けられ、緩衝部材１０が取り付けられている。この先羽根用駆動部材９は、撮影時における作動の終了段階になると、最初に、突起部９ｄだけで接片部材７を押し、次に、緩衝部材１０だけで接片部材７を押したときに、接片部材７の接点部７ａを接片部材８の接点部８ａに接触させ、フラッシュ回路の動作を開始させるようにしている。【選択図】  図２
2006235260.tif 000002
【特許請求の範囲】
【請求項１】
可撓性を有していて一端を固定され他端の近傍部を接点部としている第１接片部材と、可撓性を有していて一端を固定され他端の近傍部を接点部としている第２接片部材と、シャッタ羽根を連結していると共にゴム等の柔軟性を有する材料からなる緩衝部材を取り付けていて該シャッタ羽根の作動終了段階においては該緩衝部材が前記第２接片部材を押圧して該第２接片部材の接点部を前記第１接片部材の接点部に接触させるようにした駆動部材と、を備えていることを特徴とするカメラ用フォーカルプレンシャッタ。
【請求項２】
前記駆動部材が、突起部を有しており、前記シャッタ羽根の作動終了段階においては、先ず、該突起部だけが前記第２接片部材を押圧し、その後、前記緩衝部材だけが前記第２接片部材を押圧するときに、前記第２接片部材の接点部を前記第１接片部材の接点部に接触させるようにしたことを特徴とする請求項１に記載のカメラ用フォーカルプレンシャッタ。
【請求項３】
前記緩衝部材は、ドーナツ状をしており、その略中央の孔を、前記駆動部材に設けた軸に嵌合させ、その周面で、前記第２接片部材を押圧するようにしたことを特徴とする請求項１又は２に記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、いずれのフォーカルプレンシャッタの場合でも、シャッタ羽根の構成は略同じであり、長さ方向の一端を地板に対して回転可能に取り付けた複数本のアームと、それらのアームに枢支された少なくとも１枚の羽根とで構成されており、それらのアームの一つが駆動部材によって所定の回転角度で往復作動させられることによって、羽根が露光開口を開閉するようにしている。そして、その駆動部材は、通常、一方へは駆動ばねの付勢力によって回転させられ、他方へはその付勢力に抗してセット部材によって回転させられるが、モータだけによって往復回転させられるようにしたものも提案されている。
【０００４】
このような構成をしたフォーカルプレンシャッタには、通常の場合、シャッタ羽根の作動に連動してオン・オフさせられる機械的なスイッチ機構が設けられている。その代表的なものがフラッシュ発光用のスイッチ機構であるが、そのほかにも、シャッタ羽根の誤作動を検出するためのスイッチ機構や、デジタルカメラにおける露光時間の制御開始用スイッチ機構などを設けることも知られている。本発明は、そのようなスイッチ機構を備えているフォーカルプレンシャッタに関するものであるが、それらのスイッチ機構のうち、フラッシュ発光用のスイッチ機構を備えているフォーカルプレンシャッタの一例が、下記の特許文献１に記載されている。
【０００５】
【特許文献１】特開２００２−２３２２０号公報
【発明の開示】
【発明が解決しようとする課題】
【０００６】
特許文献１に記載されているフォーカルプレンシャッタは、可撓性を有している二つの接片部材からなるフラッシュ発光用のスイッチ機構を備えており、それらの接片部材の一端をプリント配線板に固定し、他端の近傍部を接点部としている。また、二つのシャッタ羽根（先羽根と後羽根）は、先羽根用駆動部材と後羽根用駆動部材に個々に連結されていて、先羽根用駆動部材には突起部（押動部）が設けられている。そして、先羽根用駆動部材は、撮影時における一方のシャッタ羽根（先羽根）の作動終了段階で、その突起部（押動部）が、一方の接片部材を押圧し、その接点部を他方の接片部材の接点部に接触させることにより、フラッシュを発光させるようにしている。
【０００７】
ところで、このように可撓性を有する二つの接片部材でスイッチ機構を構成した場合、両者の接点部が接触したときには、チャタリングの発生することが知られている。そして、そのようにチャタリングが発生すると、適正なタイミングで所定のオン信号を得ることができず、具合の悪いことになってしまうことがある。即ち、上記のようなフラッシュ発光用のスイッチ機構の場合でいうと、二つの接点部の接触が例えば５μｓ続いた場合をオン信号とし、フラッシュ回路の動作を開始させるように設定されている場合がある。ところが、チャタリングが発生してしまうと、二つの接点部が接触した当初にオン信号を得ることができず、その時機が遅れてしまい且つばらついてしまうために、露光開口の全開時機とフラッシュ光の最大ピーク時機とを常に同期させることができなくなってしまう。
【０００８】
そのような事態の発生を防止するために、これまでにも、組立時においてタイミング調整を行うようにはしてきたが、チャタリングの発生自体を防止できるようにした構成の提案もなされている。ところが、これまでに提案されている構成は、接片部材の形状を複雑にする必要があったり、接片部材を押すために駆動部材に設けられている部位を独特な形状にする必要があったりして、部品の製作を難しいものにしてしまっているばかりでなく、組立後における調整段階では、かえって、その調整作業が面倒なものになってしまうというような問題点があった。
【０００９】
本発明は、このような問題点を解決するためになされたものであり、その目的とするところは、チャタリングを防止するために、二つの接片部材を複雑な形状にしたり、駆動部材の押圧部位を複雑な形状にすることなく、しかも、組立調整も簡単に行えるようにしたスイッチ機構を備えているカメラ用フォーカルプレンシャッタを提供することである。
【課題を解決するための手段】
【００１０】
上記の目的を達成するために、本発明のフォーカルプレンシャッタは、可撓性を有していて一端を固定され他端の近傍部を接点部としている第１接片部材と、可撓性を有していて一端を固定され他端の近傍部を接点部としている第２接片部材と、シャッタ羽根を連結していると共にゴム等の柔軟性を有する材料からなる緩衝部材を取り付けていて該シャッタ羽根の作動終了段階においては該緩衝部材が前記第２接片部材を押圧して該第２接片部材の接点部を前記第１接片部材の接点部に接触させるようにした駆動部材と、を備えているようにする。
【００１１】
その場合、前記駆動部材が、突起部を有しており、前記シャッタ羽根の作動終了段階においては、先ず、該突起部だけが前記第２接片部材を押圧し、その後、前記緩衝部材だけが前記第２接片部材を押圧するときに、前記第２接片部材の接点部を前記第１接片部材の接点部に接触させるようにすると、耐久性の点で極めて有利な構成となる。また、前記緩衝部材は、ドーナツ状をしており、その略中央の孔を、前記駆動部材に設けた軸に嵌合させ、その周面で、前記第２接片部材を押圧するようにすると、製作上からも機能上からも優れたものになる。
【発明の効果】
【００１２】
本発明のカメラ用フォーカルプレンシャッタは、シャッタ羽根に開閉作動を行わせる駆動部材に、ゴム等の柔軟性を有する材料からなっている緩衝部材を設け、シャッタ羽根の作動終了段階において、その緩衝部材が一方の接片部材を押圧し、その接片部材の接点部を他方の接片部材の接点部に接触させるようにしたため、関係部品に複雑な形状を採用しなくても、その接触時に生じる反発力を緩衝部材が吸収することによって、両接点部間に生じるチャタリングを好適に防止することが可能となる。
【発明を実施するための最良の形態】
【００１３】
本発明の実施の形態を、図示した実施例によって説明する。上記のように、本発明は、二つのシャッタ羽根を備えたフォーカルプレンシャッタにも、一つのシャッタ羽根を備えたフォーカルプレンシャッタにも適用することができるものであるが、実施例は、二つのシャッタ羽根を備えたフォーカルプレンシャッタに適用したものである。そして、実施例におけるスイッチ機構は、フラッシュ発光用のスイッチ機構として構成されている。また、二つのシャッタ羽根を備えたフォーカルプレンシャッタは、上記のように、銀塩フィルムカメラにも、デジタルカメラにも採用することができるが、実施例の場合には、デジタルカメラに採用されていることを前提にして説明する。尚、図１は、露光作動の終了した直後の状態を撮影レンズ側から見た平面図であり、図２は、図１に示されているフラッシュ発光用スイッチ機構の操作過程を示した説明図である。
【実施例】
【００１４】
先ず、本実施例の構成を説明する。シャッタ地板１は、その略中央部に長方形を横長にした撮影光路用の開口部１ａを有しているが、図１は、撮影レンズ側から見て、シャッタ地板１の左側の約半分だけを示したものであるため、その開口部１ａも左側の約半分だけが示されている。また、図示していないが、シャッタ地板１の背面側、即ち固体撮像素子側には、所定の間隔を空けて中間板と補助地板が順に取り付けられていて、シャッタ地板１と中間板との間に後羽根の羽根室を構成し、中間板と補助地板の間に先羽根の羽根室を構成している。そして、中間板と補助地板は、シャッタ地板１と略同じ大きさをしており、その略中央部には、開口部１ａと略同じ大きさをした撮影光路用の開口部が形成されている。
【００１５】
シャッタ地板１には、開口部１ａの左側の領域に、円弧状をした二つの長孔１ｂ，１ｃが形成されており、それらの下方端には、ゴム製であって平面形状がＣ字状をしている周知の緩衝部材２，３が取り付けられている。そして、シャッタ地板１の撮影レンズ側の面には、軸１ｄ，１ｅ，１ｆが立設されている。シャッタ地板１の撮影レンズ側の面には、このほかにも二つの軸が立設されており、それらの二つの軸の先端には、殆ど同じ外形をしている支持板とプリント配線板とが重ねて取り付けられているが、図１においては、図面を見やすくするために、それらを取り付けているビス４，５と、プリント配線板６の外形だけを二点鎖線で示してあり、プリント配線板６のシャッタ地板１側に配置されている支持板は、図示を省略されている。
【００１６】
プリント配線板６の撮影レンズ側の面には配線パターンが形成されている。そして、可撓性を有する二つの接片部材７，８は、それらの一端を、その配線パターンの二つのランドに対して個々に半田接合されている。また、接片部材７，８は、シャッタ地板１側に約９０°折り曲げられていて、それらの他端の近傍に設けられている接点部７ａ，８ａは、シャッタ地板１と上記の支持板との間の空間に配置されている。更に、接片部材７は、接点部７ａよりも取付端側の位置に、プリント配線板６側に延伸させた係合部７ｂを有しており、接片部材８は、接点部８ａを設けている位置に、プリント配線板６側に延伸させた係合部８ｂを有している。そして、シャッタのセット状態においては、接片部材７，８は、自己の弾性によって、それらの係合部７ｂ，８ｂを、プリント配線板６の端面に接触させるようになっている。
【００１７】
シャッタ地板１に立設されている上記の軸１ｄには、合成樹脂製の先羽根用駆動部材９が回転可能に取り付けられており、図示していない周知の先羽根用駆動ばねによって、時計方向へ回転するように付勢されている。この先羽根用駆動部材９は、被押動部９ａと、駆動ピン９ｂと、取付部９ｃと、突起部９ｄと、軸部９ｅを有している。そのうち、駆動ピン９ｂは、シャッタ地板１側に設けられていて、上記の長孔１ｂを貫通して、羽根室内に突き出ている。また、取付部９ｃは、プリント配線板６側に盛り上がった肉厚部として形成されており、上記の突起部９ｄと軸部９ｅは、そのプリント配線板６側の面に、プリント配線板６側へ突き出るようにして形成されている。そして、その軸部９ｅには、ゴム等の柔軟性を有する材料で製作されたドーナツ状の緩衝部材１０が取り付けられている。尚、緩衝部材１０は、軸部９ｅに対して、圧入してもよいし、接着剤で固定するようにしてもよい。また、軸部９ｅに対して回転可能とした場合には、Ｅリング等の抜け止め手段が必要になる。
【００１８】
更に、取付部９ｃの内部には、図示していないばねを介在させて鉄片部材１１を取り付けているが、その取付構成は周知であるため、詳細な説明を省略する。そして、この鉄片部材１１は、特開２００２−５５３７９号公報にも記載されているように、撮影開始の直前には、上記の支持板に取り付けられている図示していない先羽根用電磁石に吸着されるようになっており、その吸着によって、先羽根用駆動部材９は、図示していない先羽根用駆動ばねの付勢力に抗して、露光作動開始位置に保持されるようになっている。
【００１９】
シャッタ地板１に立設されている上記の軸１ｅには、合成樹脂製の後羽根用駆動部材１２が回転可能に取り付けられており、図示していない周知の後羽根用駆動ばねによって、時計方向へ回転するように付勢されている。そして、この後羽根用駆動部材１２は、軸部１２ａと、駆動ピン１２ｂと、取付部１２ｃとを有している。そのうち、軸部１２ａには、ローラ１３が回転可能に取り付けられている。また、駆動ピン１２ｂは、シャッタ地板１側に設けられていて、上記の長孔１ｃを貫通して、羽根室内に突き出ている。更に、取付部１２ｃは、プリント配線板６側に盛り上がった肉厚部として形成されており、その内部には、上記の鉄片部材１１の場合に準じて、鉄片部材１４が取り付けられている。そして、この鉄片部材１４は、撮影開始の直前には、上記の支持板に取り付けられている図示していない後羽根用電磁石に吸着されるようになっており、その吸着によって、後羽根用駆動部材１２は、図示していない後羽根用駆動ばねの付勢力に抗して、露光作動開始位置に保持されるようになっている。
【００２０】
シャッタ地板１に立設されている上記の軸１ｆには、セット部材１５が回転可能に取り付けられている。このセット部材１５は、押動部１５ａ，１５ｂと、被押動部１５ｃとを有していて、押動部１５ａは先羽根用駆動部材９の被押動部９ａを押し、押動部１５ｂは後羽根用駆動部材１２に取り付けられているローラ１３を押すようになっている。また、このセット部材１５は、図示していない復帰ばねによって、反時計方向へ回転するように付勢されているが、図１は、その回転を図示していないストッパによって阻止され、初期位置に停止させられている状態を示したものである。
【００２１】
本実施例では、シャッタ地板１と中間板の間に後羽根が配置され、中間板と補助地板の間に先羽根が配置されている。そして、それらの二つのシャッタ羽根は、いずれも、一端をシャッタ地板１の羽根室側の面に枢着された二つのアームと、それらの他端に向けて順に枢支された３枚の羽根で構成されていて、一番他端側に枢支された羽根をスリット形成羽根としているが、それらの構成は周知であるため、図１においては、先羽根の図示を省略し、後羽根を構成している二つのアーム１６，１７と、それらに枢支されている３枚の羽根１８，１９，２０を、開口部１ａから見えている部分だけ示してある。尚、アーム１６には孔が形成されていて、その孔に、上記の後羽根用駆動部材１２の駆動ピン１２ｂが嵌合している。そのため、後羽根用駆動部材１２が回転するとアーム１６も同じ方向へ回転し、羽根１８，１９，２０を介してアーム１７も同方向へ同時に回転するようになっている。
【００２２】
また、図示していない先羽根は、上記の後羽根を裏返したようにして、羽根室内に配置されている。そのため、二つのアームは、３枚の羽根よりも補助地板側に配置されていることになる。そして、二つのアームのうち、図１の下方に配置されるアームには孔が形成されており、その孔に、上記の先羽根用駆動部材９の駆動ピン９ｂが嵌合している。二つのシャッタ羽根は、このように構成されているため、先羽根は、先羽根用駆動部材９が時計方向へ回転すると、３枚の羽根は相互の重なりを大きくして重畳され、反時計方向へ回転すると、３枚の羽根は相互の重なりを小さくして展開されるようになっており、後羽根の方は反対に、後羽根用駆動部材１２が時計方向へ回転すると、３枚の羽根は相互の重なりを小さくして展開され、反時計方向へ回転すると、３枚の羽根は相互の重なりを大きくして重畳されるようになっている。
【００２３】
次に、本実施例の作動を説明する。図１は、露光作動の終了直後の状態を示したものである。そのため、この状態においては、図示していない先羽根群の３枚の羽根は、羽根同士の重なり量を最大にした重畳状態になっていて、開口部１ａの下方位置に格納されている。他方、後羽根群の３枚の羽根１８〜２０は、羽根同士の重なり量を最小にした展開状態になっていて、開口部１ａを覆っている。また、このとき、二つの接片部材７，８は、接片部材７が緩衝部材１０に押圧されていることによって、それらの接点部７ａ，８ａを接触状態にさせられている。
【００２４】
セット部材１５は、この状態から、その被押動部１５ｃをカメラ本体側の部材によって押され、図示していない復帰ばねの付勢力に抗して時計方向へ回転させられることによって、セット作動を開始する。そのセット作動によって、セット部材１５は、先ず、押動部１５ａが被押動部９ａを押すことによって、先羽根用駆動部材９を、図示していない先羽根用駆動ばねの付勢力に抗して反時計方向へ回転させはじめる。そして、その直後には、押動部１５ｂがローラ１３を押すことによって、後羽根用駆動部材１２を、図示していない後羽根用駆動ばねの付勢力に抗して反時計方向へ回転させはじめる。そのため、図示していない先羽根の３枚の羽根は、羽根同士の重なりを小さくしつつ上方へ作動し、後羽根の３枚の羽根１８〜２０は、羽根同士の重なりを大きくしつつ上方へ作動していく。
【００２５】
他方、先羽根用駆動部材９が反時計方向へ回転を開始すると、接片部材７に対する緩衝部材１０の押圧力が小さくなってゆき、接片部材７は自己の弾性力によって、係合部７ｂをプリント配線板６の端面に接触させる方向へ変形していく。また、それに追従して、接片部材８も、自己の弾性力によって、係合部８ｂをプリント配線板６の端面に接触させる方向へ変形していく。そして、接片部材７が、先羽根用駆動部材９の突起部９ｄに接触する段階になると、接片部材８の係合部８ｂがプリント配線板６の端面に接触し、その後は、接片部材７だけが変形して行く。そのため、そのときから、接片部材７の接点部７ａは、接片部材８の接点部８ａから離れて行く。
【００２６】
このようにして、セット作動が行われてゆき、先羽根の３枚の羽根が開口部１ａを覆い、後羽根の３枚の羽根１８〜２０が開口部１ａの上方位置に退いた状態になると、各駆動部材９，１２の鉄片部材１１，１４が、先羽根用電磁石と後羽根用電磁石の鉄芯に接触し、その直後には、セット部材１５の回転が停止されて、セット作動が終了する。そして、セット作動が完了したときには、先羽根駆動部材９の突起部９ｄが、接片部材７から完全に離れており、接片部材７は、自己の弾性力によって、係合部７ｂをプリント配線板６の端面に接触させた状態になっている。図２（ａ）は、このときの先羽根駆動部材９と、二つの接片部材７，８の関係位置を示したものである。
【００２７】
撮影に際して、レリーズボタンを押すと、先ず、上記の各電磁石に通電される。それによって、各駆動部材９，１２が、各々の鉄片部材１１，１４を介して吸着保持されると、セット部材１５の被押動部１５ｃに対するカメラ本体側の部材による押圧力が解かれる。そのため、セット部材１５は、復帰ばねの付勢力によってセット位置から反時計方向へ回転し、図１に示された初期位置へ復帰する。その後、昼光撮影の場合には、二つの電磁石に対する通電が、露光制御回路によって決められた時間間隔で順に解除される。そのため、先羽根用駆動部材９と後羽根用駆動部材１２は、強力な付勢力を有する図示していない各々の駆動ばねによって時計方向へ急速に回転させられ、図示していない先羽根のスリット形成羽根と後羽根のスリット形成羽根２０との間に形成したスリットにより、撮像装置の撮像面を露光していくことになる。
【００２８】
しかしながら、予めフラッシュモードを選択して撮影する場合には、先羽根の３枚の羽根が開口部１ａを全開にした後にフラッシュ光がピークとなり、その後、後羽根の３枚の羽根１８〜２０が開口部１ａを閉じていくことになる。また、被写体が暗くて、先羽根の３枚の羽根が開口部１ａを全開にした後にならないと、後羽根の作動が開始しない条件の場合には、開口部１ａが全開になったときに、自動的にフラッシュを発光させるようにすることがある。そこで、以下においては、主に図２を用いて、フラッシュを発光させて撮影が行われる場合の作動を説明する。尚、図２（ａ）〜（ｅ）においては、先羽根用駆動部材９に取り付けられている鉄片部材１１の図示と、プリント配線板６の図示を省略してある。
【００２９】
撮影時において、最初に、図示していない先羽根用電磁石に対する通電が断たれると、鉄片部材１１に対する吸着力が失われ、先羽根用駆動部材９は、図示していない先羽根用駆動ばねの付勢力によって、図２（ａ）に示されている状態から急速に時計方向へ回転させられる。そのため、図示していない先羽根の３枚の羽根は、羽根同士の重なりを大きくしつつ作動し、開口部１ａを上方の領域から開いて行く。そして、開口部１ａを全開にする直前になると、先羽根用駆動部材９に設けられている突起部９ｄが、接片部材７に接触するようになる。そのときの状態が図２（ｂ）に示されている。その後は、突起部９ｄが、接片部材７を、その弾性力に抗して変形させてゆくため、接片部材７の係合部７ｂはプリント配線板６の端面から離れて行き、やがて、先羽根用駆動部材９に取り付けられている緩衝部材１０が、接片部材７に接するようになる。そのときの状態が図２（ｃ）に示されている。
【００３０】
そして、図２（ｃ）に示されている状態になった直後には、接片部材７は突起部９ｄから離され、緩衝部材１０のみに押されて、その接点部７ａを接片部材８の接点部８ａに接触させる。その状態が図２（ｄ）に示されている。このとき、従来のように、突起部９ｄが接片部材７を押している状態のままで接点部７ａを接点部８ａに接触させると、チャタリングが顕著となって、フラッシュ回路の動作開始時機が定まらなくなってしまうが、本実施例の場合には、緩衝部材１０が接片部材７を押して、接点部７ａを接点部８ａに接触させるため、接点部７ａ，接点部８ａでの振動が緩衝部材１０によって好適に吸収される。そのため、チャタリングが抑制され、フラッシュ回路が所定のタイミングで動作を開始し、フラッシュ光のピーク時機を、先羽根が開口部１ａを全開にした時機に同期させることができる。
【００３１】
その後、先羽根用駆動部材９は、若干回転すると、その駆動ピン９ｂがシャッタ地板１に取り付けられている緩衝部材２に当接することによって停止するが、その状態が図２（ｅ）に示された状態である。この状態では、接片部材７は、図２（ｄ）の状態よりも、緩衝部材１０によってさらに押されており、その接点部７ａが接点部８ａを押すことによって接片部材８を変形させ、係合部８ｂをプリント配線板６の端面から離している。その結果、この状態は、先羽根用駆動部材９と接片部材７，８にとっては、図１に示された状態と同じということになり、先羽根の３枚の羽根は、開口部１ａの下方位置に格納されていることになる。
【００３２】
フラッシュの発光がピークになると、図示していない後羽根用電磁石に対する通電が断たれるため、鉄片部材１４に対する吸着力が失われ、後羽根用駆動部材１２は、図示していない後羽根用駆動ばねの付勢力によって急速に時計方向へ回転させられる。そのため、後羽根の３枚の羽根１８〜２０は、羽根同士の重なりを小さくしつつ、開口部１ａを上方の領域から閉じてゆき、開口部１ａを完全に閉鎖すると、その直後に、後羽根用駆動部材１２の駆動ピン１２ｂが緩衝部材３に当接することによって、その閉じ作動が停止する。そして、撮像装置に蓄積された撮像情報を記憶装置に転送した後の状態が、図１に示された状態であり、上記したように、この状態から直ちにセット作動が開始されることになる。尚、昼光撮影の場合にも、接点部７ａ,８ａは接触させられるが、そのときには、フラッシュが発光しないようになっていることは周知の通りである。
【００３３】
尚、本実施例の場合には、先羽根駆動部材９に突起部９ｄを設けているが、この突起部９ｄは必ずしも必要のない場合がある。即ち、突起部９ｄがない場合は、緩衝部材１０だけで接片部材７を押すことになるため、緩衝部材１０の材質によっては磨耗が激しく、耐久性に乏しくなる可能性がある。そこで、本実施例の場合には、接点部７ａが接点部８ａに接触していないときには、突起部９ｄを接片部材７に接触させ、接点部７ａを接点部８ａに接触させているときだけ、緩衝部材１０を接触させるという考えに立って、実用的な構成にしている。従って、緩衝部材１０を耐摩耗性のある材料で製作した場合には、あるいは緩衝部材１０の周面に特殊な耐摩耗性のコーティングをした場合には、突起部９ｄは必要ないことになる。また、本実施例の場合には、緩衝部材１０をドーナツ状に形成しているが、接片部材７に対する接離が好適に行えるのであれば、ドーナツ状に限定されるものではない。
【００３４】
また、本実施例においては、二つの接片部材７，８からなるスイッチ機構を、フラッシュ回路の動作開始用スイッチ機構として説明したが、このスイッチ機構は、先羽根用電磁石による保持力が十分に得られず、先羽根用駆動部材９が、所定のタイミングより速く誤動作した場合における検出用のスイッチ機構とすることも可能である。そのため、同様なスイッチ機構を後羽根用駆動部材１２側に設置すれば、後羽根用駆動部材１２の誤動作検出用のスイッチ機構にもなる。このような誤動作を検出するスイッチ機構は、それ自体は周知であるが、本発明の構成は、そのようなスイッチ機構を備えたフォーカルプレンシャッタにも適用することが可能である。
【００３５】
また、本実施例とは異なり、シャッタ羽根を一つだけ備えたデジタルカメラ用のフォーカルプレンシャッタの場合、ノーマリークローズタイプなどと称されている作動方式を採用する場合がある。この方式を採用するカメラは、光学式のファインダを備えていて、通常の状態では、シャッタ羽根は、撮影光路用の開口部（実施例における開口部１ａに相当）を閉鎖している。そして、撮影時には、シャッタ羽根に、その開口部の開き作動を行わせ、その開口部を全開にしたときにスイッチ機構をオンにして露光制御回路の動作を開始させ、所定の時間が経過すると、シャッタ羽根に閉じ作動を行わせるようにしている。即ち、この場合におけるシャッタ羽根の開閉機構は、スイッチ機構を除けば、周知の二重遮光方式のフォーカルプレンシャッタにおいて、後羽根を開閉作動させる機構の構成と類似していることになる。本発明の構成は、そのような構成を採用したデジタルカメラ用のフォーカルプレンシャッタにも適用することが可能である。
【図面の簡単な説明】
【００３６】
【図１】露光作動の終了した直後の状態を撮影レンズ側から見た実施例の平面図である。
【図２】図１に示されているフラッシュ発光用スイッチ機構の操作過程を示した説明図である。
【符号の説明】
【００３７】
１                            シャッタ地板
１ａ                          開口部
１ｂ，１ｃ                    長孔
１ｄ，１ｅ，１ｆ              軸
２，３，１０                  緩衝部材
４，５                        ビス
６                            プリント配線板
７，８                        接片部材
７ａ，８ａ                    接点部
７ｂ，８ｂ                    係合部
９                            先羽根用駆動部材
９ａ，１５ｃ                  被押動部
９ｂ，１２ｂ                  駆動ピン
９ｃ，１２ｃ                  取付部
９ｄ                          突起部
９ｅ，１２ａ                  軸部
１１，１４                    鉄片部材
１２                          後羽根用駆動部材
１３                          ローラ
１５                          セット部材
１５ａ，１５ｂ                押動部
１６，１７                    アーム
１８，１９，２０              羽根
【図１】
2006235260.tif 000003
【図２】
2006235260.tif 000004